(57)【要約】【課題】あらかじめ一定額の入金をした特別な口座から商品の金額を引き落とすプリペイド型電子マネー決済システムを提供する。【解決手段】利用者は携帯端末１０を利用して一般口座サーバー４０から特殊口座サーバー３０に必要な金額を入金する。小売店店頭での支払い時に、携帯端末１０から特殊口座サーバー３０にアクセスする。特殊口座サーバー３０は認証を行い、正当な利用者であることが確認できたら、携帯端末１０の表示画面に残金情報と口座利用コードを表示させる。小売店端末２０は、バーコードリーダーで携帯端末１０の表示画面のバーコードを読み取り、特殊口座サーバー３０にアクセスし、支払い額の引き落とし要求を行う。特殊口座サーバー３０は、送信されてきたコード情報を解析し、正当な利用者であることが確認できたら、要求金額と残金を照合し、引き落とし処理を行う。【選択図】      図２
2004326348.tif 000002
【特許請求の範囲】
【請求項１】
ネットワーク接続機能及び表示画面を有する利用者携帯端末と、
ネットワーク接続機能及びコード読み取り機能を有する小売店端末と、
ネットワークに接続され、利用者の特殊口座にあらかじめ一定の金額が入金され、口座利用コードの利用のみによって前記特殊口座から出金を可能とする特殊口座サーバーとを備え、
前記利用者携帯端末は、前記ネットワークを介して前記特殊口座サーバーにアクセスして、口座利用コードの生成及び送信を要求し、
前記特殊口座サーバーは、これに応じて前記口座利用コードを生成及び送信し、
前記利用者携帯端末は、前記口座利用コードを受信してその画面に表示し、
前記小売店端末は、前記利用者携帯端末の画面に表示された口座利用コードを読み取り、商品の金額と共に前記特殊口座サーバーに送信し、
前記特殊口座サーバーは、受け取ったコード情報で前記小売店端末の認証を行い、前記口座利用コードの当否判断を行い、支払可能ならば前記利用者の特殊口座から前記商品の金額を引き落とすことを特徴とする携帯端末を利用したプリペイド型電子マネー決済システム。
【請求項２】
前記特殊口座サーバーは、前記利用者の特殊口座にあらかじめ入金してある金額までしか使用できないことを特徴とする請求項１記載の携帯端末を利用したプリペイド型電子マネー決済システム。
【請求項３】
前記口座利用コードは、生成されてから一定時間以内のみ有効であることを特徴とする請求項１又は２記載の携帯端末を利用したプリペイド型電子マネー決済システム。
【請求項４】
前記特殊口座サーバーは、前記口座利用コードの当否判断、及び商品の金額と特殊口座の残金の照合判断の結果を、前記利用者携帯端末及び前記小売店端末に送信することを特徴とする請求項１〜３のいずれかに記載の携帯端末を利用したプリペイド型電子マネー決済システム。
【請求項５】
ネットワーク接続機能及び表示画面を有する利用者携帯端末と、
ネットワークに接続され、チケット利用コード生成機能を有するチケットセンター端末と、
ネットワーク接続機能及びコード読み取り機能を有する受付端末と、
ネットワークに接続され、利用者の特殊口座にあらかじめ一定の金額が入金され、口座利用コードの利用のみによって前記特殊口座から出金を可能とする特殊口座サーバーとを備え、
前記利用者携帯端末は、前記ネットワークを介して前記特殊口座サーバーにアクセスして、口座利用コードの生成及び送信を要求し、
前記特殊口座サーバーは、これに応じて前記口座利用コードを生成及び送信し、
前記利用者携帯端末は、受信した前記口座利用コードを前記チケットセンター端末に送信し、
前記チケットセンター端末は、受信した口座利用コードを、チケットの金額と共に前記特殊口座サーバーに送信し、
前記特殊口座サーバーは、受け取ったコード情報で前記チケットセンター端末の認証を行い、前記口座利用コードの当否判断を行い、支払可能ならば前記利用者の特殊口座から前記チケットの金額を引き落として、その結果を前記利用者携帯端末及び前記チケットセンター端末に送信し、
前記チケットセンター端末は、チケット利用コードを生成して前記利用者携帯端末及び前記受付端末に送信し、
前記利用者携帯端末は、前記チケット利用コードを受信してその画面に表示し、
前記受付端末は、前記利用者携帯端末の画面に表示されたチケット利用コードを読み取って認証処理を行い、正当なものならば無効化処理を行って、結果を通知することを特徴とする携帯端末を利用したプリペイド型電子マネー決済システム。
【請求項６】
ネットワーク接続機能及び表示画面を有する利用者携帯端末と、ネットワーク接続機能及びコード読み取り機能を有する小売店端末と、ネットワークに接続され、利用者の特殊口座にあらかじめ一定の金額が入金され、口座利用コードの利用のみによって前記特殊口座から出金を可能とする特殊口座サーバーとを備えたシステムにおいて、
前記利用者携帯端末は、前記ネットワークを介して前記特殊口座サーバーにアクセスして、口座利用コードの生成及び送信を要求し、
前記特殊口座サーバーは、これに応じて前記口座利用コードを生成及び送信し、
前記利用者携帯端末は、前記口座利用コードを受信してその画面に表示し、
前記小売店端末は、前記利用者携帯端末の画面に表示された口座利用コードを読み取り、商品の金額と共に前記特殊口座サーバーに送信し、
前記特殊口座サーバーは、受け取ったコード情報で前記小売店端末の認証を行い、前記口座利用コードの当否判断を行い、支払可能ならば前記利用者の特殊口座から前記商品の金額を引き落とすことを特徴とする携帯端末を利用したプリペイド型電子マネー決済方法。
【請求項７】
ネットワーク接続機能及び表示画面を有する利用者携帯端末と、ネットワークに接続され、チケット利用コード生成機能を有するチケットセンター端末と、ネットワーク接続機能及びコード読み取り機能を有する受付端末と、ネットワークに接続され、利用者の特殊口座にあらかじめ一定の金額が入金され、口座利用コードの利用のみによって前記特殊口座から出金を可能とする特殊口座サーバーとを備えたシステムにおいて、
前記利用者携帯端末は、前記ネットワークを介して前記特殊口座サーバーにアクセスして、口座利用コードの生成及び送信を要求し、
前記特殊口座サーバーは、これに応じて前記口座利用コードを生成及び送信し、
前記利用者携帯端末は、受信した前記口座利用コードを前記チケットセンター端末に送信し、
前記チケットセンター端末は、受信した口座利用コードを、チケットの金額と共に前記特殊口座サーバーに送信し、
前記特殊口座サーバーは、受け取ったコード情報で前記チケットセンター端末の認証を行い、前記口座利用コードの当否判断を行い、支払可能ならば前記利用者の特殊口座から前記チケットの金額を引き落として、その結果を前記利用者携帯端末及び前記チケットセンター端末に送信し、
前記チケットセンター端末は、チケット利用コードを生成して前記利用者携帯端末及び前記受付端末に送信し、
前記利用者携帯端末は、前記チケット利用コードを受信してその画面に表示し、
前記受付端末は、前記利用者携帯端末の画面に表示されたチケット利用コードを読み取って認証処理を行い、正当なものならば無効化処理を行って、結果を通知することを特徴とする携帯端末を利用したプリペイド型電子マネー決済方法。
【発明の詳細な説明】
【０００１】
【発明の属する技術分野】
本発明は、特別な口座から商品等の金額を引き落とす携帯端末を利用したプリペイド型電子マネー決済システムに関する。
【０００２】
【従来の技術】
従来、小売店店頭での支払い形態として、所持している現金での現金支払い、小売店が提携しているクレジット会社、銀行、郵便局等のクレジットカード支払い、デビッドカード支払い、あらかじめ購入した図書券などの金券での支払い等がある。
【０００３】
また、決済センターから支払コードを発行し、利用者が店で買い物を行う際に店に支払コードを提示し、店から決済センターに支払コードと請求金額等を伝え、確認後、支払が済んだと見なして、以後、支払コードが無効となる電子決済システムがある（例えば、特許文献１参照）。
【０００４】
【特許文献１】
特開２００２−９９７１６号公報
【０００５】
【発明が解決しようとする課題】
しかしながら、従来の技術では次の問題点があった。
１．所持金が足りない場合、購入できないことがある。
２．特定の提携会社、銀行のカードでしか利用できない。
３．クレジットカード犯罪による、心当たりの無い金額請求などの被害を受ける可能性がある。
４．利用状況の確認がすぐに行えない。
【０００６】
そこで本発明は、あらかじめ特別な口座に一定額の入金をしておき、利用者が小売店等における支払い時に、利用者の携帯端末の画面に表示させた口座情報のコードを読み取ることで、その口座から商品等の金額を引き落とすプリペイド型電子マネー決済システム及び方法を提供することを目的とする。
【０００７】
【課題を解決するための手段】
上述の課題を解決するため、本発明は、ネットワーク接続機能及び表示画面を有する利用者携帯端末と、ネットワーク接続機能及びコード読み取り機能を有する小売店端末と、ネットワークに接続され、利用者の特殊口座にあらかじめ一定の金額が入金され、口座利用コードの利用のみによって前記特殊口座から出金を可能とする特殊口座サーバーとを備え、前記利用者携帯端末は、前記ネットワークを介して前記特殊口座サーバーにアクセスして、口座利用コードの生成及び送信を要求し、前記特殊口座サーバーは、これに応じて前記口座利用コードを生成及び送信し、前記利用者携帯端末は、前記口座利用コードを受信してその画面に表示し、前記小売店端末は、前記利用者携帯端末の画面に表示された口座利用コードを読み取り、商品の金額と共に前記特殊口座サーバーに送信し、前記特殊口座サーバーは、受け取ったコード情報で前記小売店端末の認証を行い、前記口座利用コードの当否判断を行い、支払可能ならば前記利用者の特殊口座から前記商品の金額を引き落とすことを特徴とする。
【０００８】
【発明の実施の形態】
次に、本発明の実施の形態について図面を参照して説明する。
【０００９】
図１は、本発明の第１の実施形態のシステム構成を示す。本実施形態は、利用者が持つ携帯端末１０と、小売店店頭に設置されている小売店端末２０と、本発明専用の特殊口座サーバー３０と、銀行や郵便局等の一般的な金融機関の一般口座サーバー４０と、これらが相互に接続することが可能なネットワーク１００とから構成されている。
【００１０】
携帯端末１０は、携帯電話（ＰＨＳを含む）等の携帯情報通信端末である。携帯端末１０は特殊口座サーバー３０と一般口座サーバー４０にネットワーク１００を介してアクセスすることが可能であり、認証時のパスワード入力等の入力機能と、特殊口座サーバーから送信されてきたコードを画面に表示する機能を備えている。
【００１１】
さらに、特殊口座サーバー３０が小売店端末２０の認証失敗、口座残金不足、引き落とし処理完了などが発生した時に不特定なタイミングで送信する情報を、ネットワーク１００を介して受信する機能、例えばＥメール受信機能などを有する。
【００１２】
小売店端末２０は商品の販売者によって使用され、ワークステーション、パソコン等の情報処理装置と、バーコードリーダー等のコード読み取り装置によって構成される。
【００１３】
小売店端末２０は、利用者が購入する商品の合計金額を算出する機能と、携帯端末１０の画面に表示された口座利用コードを読み取る機能を有し、これらの情報をネットワーク１００を介して特殊口座サーバー３０に送信する機能を備えている。
【００１４】
さらに、特殊口座サーバー３０が小売店端末２０の認証失敗、口座残金不足、引き落とし処理完了などが発生した時に不特定なタイミングで送信する情報を、ネットワーク１００を介して受信する機能を有する。
【００１５】
特殊口座サーバー３０は、携帯端末１０、小売店端末２０からのネットワーク１００を介したアクセスに対する認証機能と、携帯端末１０の画面に表示させる口座利用コードを生成する機能と、小売店端末２０から送信された口座利用コードを解析する機能を備えている。
【００１６】
さらに、小売店端末２０の認証失敗、口座残金不足、引き落とし処理完了などが発生した時に不特定なタイミングでネットワーク１００を介し情報を送信する機能を有する。
【００１７】
一般口座サーバー４０は、銀行や郵便局等の金融機関の口座を管理するサーバーである。一般口座サーバー４０は、ネットワーク１００を介して、携帯端末１０から利用者口座の入出金操作が行える。
【００１８】
次に、本実施形態の動作について説明する。なお、以降の説明では、ネットワーク１００はインターネットとする。
【００１９】
図２を参照すると、利用者は、自分の携帯端末１０から、一般の金融機関が一般口座サーバー４０上に開設している一般口座に入出金操作するためのホームページに、ネットワーク１００を介してアクセスする（ステップ  Ｓ１）。これに応答して一般口座サーバー４０は、特殊口座サーバー３０の利用者の特殊口座に、利用者が指定した一定金額を入金する（ステップ  Ｓ２）。
【００２０】
次に、利用者は、携帯端末１０から特殊口座サーバー３０にアクセスする（ステップ  Ｓ３）。これに応答して、特殊口座サーバー３０は、図３に示すような入力要求画面を携帯端末１０へ送信し、ログインＩＤ、パスワードの入力を求める。利用者は、携帯端末１０からログインＩＤ、パスワードの入力を行う。
【００２１】
利用者が図３の画面に表示された「決定」ボタンをクリックすると、携帯端末１０はログインＩＤとパスワードが入力されていることを確認し、携帯端末１０の装置自身が一意に持つ数値、例えば電話番号やシリアル番号を付加して、特殊口座サーバー３０に送信する。特殊口座サーバー３０はこれらの情報を受け取り、携帯端末１０の認証処理を行う（ステップ  Ｓ４）。
【００２２】
特殊口座サーバー３０は携帯端末１０の認証処理を行い、正当な利用者であると確認したら、図４のような確認画面を送信し、携帯端末１０の表示画面に表示させる（ステップ  Ｓ５）。
【００２３】
利用者が図４の画面上で口座利用コードを「表示する」を選択し、「決定」ボタンをクリックすると、特殊口座サーバー３０は、口座利用コードを生成し、携帯端末１０に送信する（ステップ  Ｓ６）。携帯端末１０は、これを受信して、その画面上に図５に示すような口座利用コードを表示する（ステップ  Ｓ７）。特殊口座サーバー３０が生成する口座利用コードは、特殊口座サーバーが一意に持つ口座番号と、口座利用コードを生成した時間の情報を含む。
【００２４】
次に、利用者は、小売店店頭での支払い時に、図５に示す携帯端末１０の画面上の口座利用コードを提示する。販売者は小売店端末２０のバーコードリーダーで、提示された口座利用コードを読み取り（ステップ  Ｓ８）、商品の合計金額及び小売店端末２０の識別情報と一緒に特殊口座サーバー３０に送信する（ステップ  Ｓ９）。
【００２５】
特殊口座サーバー３０は、受け取ったコード情報で小売店端末２０の認証を行う（ステップ  Ｓ１０）。このとき口座利用コードが生成された時間の情報を読み取り、コードが生成されてから一定時間経過している場合、無効な口座利用コードとして認証に失敗し、利用者の携帯端末１０と、小売店店頭の小売店端末２０に認証失敗を通知する情報を送信する。
【００２６】
特殊口座サーバー３０は、口座利用コードが正当なものと判断したら、商品の合計金額と、口座の残金の突合せ処理を行う（ステップ  Ｓ１１）。突合せ処理の結果、口座の残金が不足している場合、特殊口座サーバー３０は利用者の携帯端末１０と、小売店端末２０に残金不足を通知する情報を送信する。
【００２７】
特殊口座サーバー３０は、口座の残金で商品の合計金額を支払うことが可能だと判断した場合、代金の引き落とし処理を行う（ステップ  Ｓ１２）。特殊口座サーバー３０は、原則的にこのタイミング以外で利用者の特殊口座の出金操作を行うことはできない。特殊口座サーバー３０は引き落とし処理が完了した時点で、利用者の携帯端末１０に、引き落とされた金額と残金を通知する情報を、小売店端末２０に、代金の引き落としが完了したことを通知する情報を送信する（ステップ  Ｓ１３）。
【００２８】
販売者は、小売店端末２０が特殊口座サーバー３０からの代金引き落とし通知の情報を受け取ったのち、利用者に商品を引き渡す。
【００２９】
以上をまとめると、図１において、利用者は自分の携帯端末１０でモバイルバンキング等を利用して一般口座サーバー４０から特殊口座サーバー３０に必要な金額を入金する。特殊口座サーバー３０は通常の操作では、出金操作は不可能とする。
【００３０】
利用者は小売店店頭での支払い時に、自分の携帯端末１０でネットワーク１００を介して特殊口座サーバー３０にアクセスする。特殊口座サーバー３０は被アクセス時にログイン名、パスワードの入力を要求し、携帯端末１０が一意に持つユニークなコードを読み取る。特殊口座サーバー３０はこれらの情報から認証を行い、正当な利用者であることが確認できたら、携帯端末１０の表示画面に残金情報と口座利用を行うためのコードを表示させる。
【００３１】
小売店端末２０は、バーコードリーダーで利用者の携帯端末１０の表示画面のバーコードを読み取り、ネットワーク１００を介して特殊口座サーバー３０にアクセスし、支払い額の引き落とし要求を行う。
【００３２】
特殊口座サーバー３０は、引き落とし要求時に送信されてきたコード情報を解析し、認証を行う。正当な利用者であることが確認できたら、要求金額と残金を照合し、引き落とし処理を行う。
【００３３】
特殊口座サーバー３０は、認証失敗、残金不足、引き落とし完了などが発生した時に、携帯端末１０と小売店端末２０に結果の情報を送信する。
【００３４】
小売店は引き落とし作業が正常に終了したことを確認して、商品を利用者に引き渡す。
【００３５】
次に、図６は本発明の第２の実施形態のシステム構成を示す。第２の実施形態では、利用者が電車、飛行機などの交通機関、映画、美術館などのレジャー施設等の利用チケットを購入する場合、携帯端末１１０の表示画面に表示された口座利用コードをチケットセンター端末１５０に画像メール等で送信し、代金引き落とし処理の完了後、チケット利用コードを携帯端末１１０に送信し、受付端末１２０でチケット利用コードの読み取り、確認を行う点で第１の実施形態と異なる。
【００３６】
したがって、携帯端末１１０は、口座利用コードをチケットセンター端末１５０にネットワーク１００を介し送信する機能と、チケットセンター端末１５０からネットワーク１００を介し送信されたチケット利用コードを受信、表示する機能を有する。
【００３７】
チケットセンター端末１５０は、携帯端末１１０からネットワーク１００を介し送信された口座利用コードを受信する機能と、口座利用コードとチケット代金の情報をネットワーク１００を介して特殊口座サーバー１３０に送信する機能と、代金引き落とし処理完了後にチケット利用コードを生成して、ネットワーク１００を介して携帯端末１１０に送信する機能を有する。
【００３８】
受付端末１２０は、携帯端末１１０の表示画面上に表示されたチケット利用コードをバーコードリーダーで読み取り、正規の利用者であることを確認する認証機能を備えている。
【００３９】
次に本実施形態の動作について説明する。図７を参照すると、携帯端末１１０がネットワーク１００を介して特殊口座サーバー１３０から送信される口座利用コードを取得する処理（ステップ  Ｓ２１からＳ２６まで）は、第１の実施形態と同様である。
【００４０】
利用者は、携帯端末１１０が受信した口座利用コードを、チケットセンター端末１５０が用意するホームページなどにアクセスすることで、チケットセンター端末１５０に送信する（ステップ  Ｓ２７）。
【００４１】
チケットセンター端末１５０は、携帯端末１１０から送られてきた口座利用コードを受け取り（ステップ  Ｓ２８）、利用者が指定したチケットの金額及びチケットセンター端末１５０の識別情報と一緒に特殊口座サーバー１３０に送信する（ステップ  Ｓ２９）。
【００４２】
特殊口座サーバー１３０は、受け取ったコード情報でチケットセンター端末１５０の認証を行い、代金を引き落としたら、利用者の携帯端末１１０とチケットセンター端末１５０に完了情報を送信する処理（ステップ  Ｓ３０からＳ３３まで）は、第１の実施形態と同様である。
【００４３】
チケットセンター端末１５０は、特殊口座サーバー１３０からの完了情報の受信を確認したら、利用者が指定したチケットのチケット利用コードを生成し（ステップ  Ｓ３４）、携帯端末１１０にチケット利用コードとチケットの購入が完了した情報を送信すると共に、受付端末１２０にチケット利用コードを送信する（ステップ  Ｓ３５）。
【００４４】
利用者は、チケットセンター端末１５０から送信されたチケット利用コードを携帯端末１１０の表示画面に表示させ、チケットを利用する施設の受付で提示する（ステップ  Ｓ３６）。施設の受付担当者は受付端末１２０のバーコードリーダーで提示されたチケット利用コードを読み取り（ステップ  Ｓ３７）、認証処理を行う（ステップ  Ｓ３８）。
【００４５】
受付端末１２０は、読み取ったチケット利用コードが正当なものと判断したら、チケット利用コードの無効化処理を行い、チケット利用コードの重複使用を行えないようにする（ステップ  Ｓ３９）。
【００４６】
処理が完了したら、チケット利用コードを提示した利用者が正当な施設利用者である通知を、画面表示又は音声等により受付担当に行う（ステップ  Ｓ４０）。
【００４７】
受付担当者は受付端末１２０が通知した結果を確認し、利用者に施設の利用を許可する。
【００４８】
【発明の効果】
以上説明したように、本発明による第１の効果は、携帯端末１０だけで、小売店店頭での代金の支払いが可能なことである。
【００４９】
第２の効果は、特殊口座に必要な一定額のみをあらかじめ入金しておくことと、口座利用コードが一定時間内でしか利用できないことと、支払い完了時点で即座に利用情報の確認ができることにより、不正な利用を防ぐことができ、利用者が安心を得られることである。
【００５０】
第３の効果は、コードの提示と読み取りだけなので、支払いを能率的に行えることである。
【図面の簡単な説明】
【図１】本発明の第１の実施形態のシステム構成図である。
【図２】第１の実施形態の処理を示すシーケンス図である。
【図３】携帯端末の入力要求画面を示す図である。
【図４】携帯端末の確認画面を示す図である。
【図５】携帯端末の画面に表示された口座利用コードを示す図である。
【図６】本発明の第２の実施形態のシステム構成図である。
【図７】第２の実施形態の処理を示すシーケンス図である。
【符号の説明】
１０，１１０  携帯端末
２０  小売店端末
３０，１３０  特殊口座サーバー
４０，１４０  一般口座サーバー
１００  ネットワーク
１２０  受付端末
１５０  チケットセンター端末
【図１】
2004326348.tif 000003
【図２】
2004326348.tif 000004
【図３】
2004326348.tif 000005
【図４】
2004326348.tif 000006
【図５】
2004326348.tif 000007
【図６】
2004326348.tif 000008
【図７】
2004326348.tif 000009